【事件の表示】
　特願２００６−２０６６２５「バックライト装置、及び液晶表示装置」拒絶査定不服審判事件〔平成１９年　７月１２日出願公開、特開２００７−１８０００６〕について、次のとおり審決する。
【結　論】
　本件審判の請求は、成り立たない。
【理　由】
１．本願発明
　
　本願は、平成１８年　７月２８日（優先権主張　平成１７年　９月　６日）の出願であって、その請求項１乃至９に係る発明は、平成２１年　４月２８日付けの手続補正に係る特許請求の範囲の請求項１乃至９に記載された事項によって特定されるものと認められるところ、そのうちの請求項３に係る発明（以下「本願発明」という。）は、次のとおりである。
　
【請求項３】
「並行配列された複数本の線状光源と、
　該複数本の線状光源を保持するためのランプクリップと、
　該ランプクリップの基体に設けられた係止部を係止する被係止板とを備えた液晶表示装置用バックライト装置において、
　該ランプクリップは該複数本の線状光源のそれぞれを保持する為の複数の光源支持手段と、前記基体の上面の中央部分において該線状光源と液晶パネルとの間に位置する光学部材を支持する支持手段とが設けられ、
　前記被係止板は、前記係止部が挿抜される挿入孔と、前記係止部が係止される保持孔とを有し、
　前記挿入孔と前記保持孔とを結ぶ方向が前記線状光源の長手方向に対して水平方向に設けられ、
　該ランプクリップは、前記係止部を前記保持孔に係止した状態で、前記挿入孔を覆い隠す形状を有したことを特徴とする液晶表示装置用バックライト装置。」
　
２．引用例及びその記載事項
　
　当審の拒絶の理由に引用文献１として引用した、本願の出願前に頒布された刊行物である特開２００５−２０３１５４号公報（以下、「引用例１」という。）には、以下の事項が記載されている。
　
Ａ：（段落【０００１】）
「本発明は、液晶表示装置のバックライト装置において光源を支持するために用いられる光源支持具およびその光源支持具を用いたバックライト装置に関するものである。」
Ｂ：（段落【０００４】）
「図２７〜３０に従来のバックライト装置を用いた液晶表示装置の一例を示し説明する。図２７は液晶表示装置の前面部分を除去してバックライト装置の内部を示した正面図であり、図２８はその液晶表示装置の側断面図であり、図２９、図３０はバックライト装置に用いられる光源支持具を示す斜視図であり、係止部２０ｂが１箇所の光源支持具２０と、係止部２０ｂが２箇所の光源支持具２０が示されている。この液晶表示装置の主な構成部材は、シールド１、反射板２、蛍光管３、光源支持具２０、拡散板１５、光学シート類１６、液晶パネル１７からなる。」
Ｃ：（段落【０００５】）
「光源支持具２０の構成は、隣合う蛍光管３を保持するために両先端部に設けられ上下に開口した形状の光源支持部２０ａと、外側を向いた１対の光源支持部２０ａの間を接続し２本の蛍光管３の間隔を一定に保つための架橋部２０ｃと、光源支持部２０ａの裏面または架橋部２０ｃの中間位置の裏面に突設された係止部２０ｂとから構成されている。このバックライト装置を組み立てる場合は、シールド１の底面に反射板２を置き、光源支持具２０の係止部２０ｂをシールド２（審決注：「シールド１」の誤記と考えられる）、反射板２のそれぞれの相当位置に設けた孔に挿入係止させる。この光源支持具２０を反射板２の上に設けたことにより、長尺化した蛍光管３の保持と大型化した反射板２に生じ易い自重による撓みあるいは弛みを防止して、光学部材配置を設計通り確実に実現できる。」
　
　第２７〜２８図及び第３０図と共に、上記摘記事項Ａ〜Ｃを総合すると、引用例１には、
「並行配列された２本の蛍光管３と、
　該２本の蛍光管３を保持するための光源支持具２０と、
　該光源支持具２０の架橋部２０ｃに突設された係止部２０ｂを係止するシールド１及び反射板２とを備えた液晶表示装置のバックライト装置において、
　該光源支持具２０は該２本の蛍光管３のそれぞれを保持する為の一対の光源支持部２０ａが設けられ、
　前記シールド１及び反射板２は、前記係止部２０ｂが挿入係止される孔を有する、
　液晶表示装置のバックライト装置。」
に関する発明（以下「引用発明」という。）が記載されていると認められる。
　
　同じく当審の拒絶の理由に引用文献２として引用した、本願の出願前に頒布された刊行物である特開平１０−３２６５１６号公報（以下、「引用例２」という。）には、以下の事項が記載されている。
　
Ｄ：（【請求項１】）
「蛍光灯を利用した照明器具に取り付ける反射板組立であって、・・・反射板と、該反射板を蛍光灯の管部に取り付けるための取付具とからなり、前記取付具は頭部と首部とを有する第１のボス・・・を含む係合部と、蛍光灯の管部をはめ込んで固定するためのホルダ部とを備えており、前記反射板は前記第１のボスの頭部を挿入するべく設けられた挿入部分及び前記第１のボスの首部と係合して前記取付具を保持する保持部分を有する第１の穴・・・を備えていることを特徴とする蛍光灯用反射板組立。」
Ｅ：（第３頁右欄第４６行〜第４頁左欄第２４行）
「【００２３】図２は、図１の蛍光灯用反射板組立の取付具及び反射板の詳細を示す図である。・・・。
【００２４】図２（ｃ）は反射板の上面の部分拡大図である。図に示すように反射板２・・・には・・・、取付具３の係合部に設けられた・・・第１のボス用の第１の穴２２・・・備えている。・・・。第１の穴２２は、第１のボスの頭部を挿入するための円形の挿入部分の一部に、第１のボスの首部と係合して取付具を保持するための該挿入部分より幅が狭い楕円形状の保持部分が設けられている。
【００２５】図３は、反射板２への取付具３の固定を説明するための斜視図である。取付具３を反射板２に取り付ける際には、２つの第１のボス１２の頭部を２つの第１の穴の挿入部分にそれぞれ挿入し、第１のボス１２の首部が第１の穴の保持部分と係合するように取付具をスライドさせる。」
Ｆ：（第４頁左欄第３０〜３７行）
「【００２７】図４は、本願の第１の発明の蛍光灯用反射板組立における第１の変形例を示す図である。図４（ａ）及び（ｂ）はそれぞれ取付具３の上面図及び正面図であり、図４（ｃ）は反射板の上面の部分拡大図である。本変形例は取付具３の係合部１０に設けられた３つのボス１２及び１３が上述の実施の形態と比べてホルダ部に対して９０度回転されており、ホルダ部１１の形状も蛍光灯を側方から挿入するように構成されている。」
Ｇ：（第４頁左欄第４４行〜右欄第６行）
「【００２８】図５は、本願の第１の発明の蛍光灯用反射板組立における第２の変形例を示す図である。・・・。本変形例は取付具３の係合部１０に設けられた第１のボス１２が１つであり・・・。このような構成とすることにより、蛍光灯の直径が小さく、取り付ける反射板も小さい場合に取り付け具の形状を簡単にすると共に、反射板に設けられる穴の数を削減してより簡単な構成としている。」
Ｈ：（第５頁左欄第４１行〜右欄第１行）
「【発明の効果】本願の第１の発明の蛍光灯用反射板組立によれば、・・・穴の形状を工夫して、第１のボスの頭部を穴に挿入した後に移動させて２種類のボスを対応する穴と係合させて固定するようにしたため、・・・容易に反射板を照明器具に取り付けることができる。・・・。加えて、反射板を取り外すことも困難や危険を伴うことなしに容易に行うことができる。」
　
３．対比
　
　本願発明と引用発明とを対比すると、引用発明における「液晶表示装置のバックライト装置」は本願発明における「液晶表示装置用バックライト装置」に相当し、以下同様に、「２本の蛍光管３」は「複数の線状光源」に、「光源支持具２０」は「ランプクリップ」に、「光源支持具２０の架橋部２０ｃに突設された係止部２０ｂ」は「ランプクリップの基体に設けられた係止部」に、「シールド１及び反射板２」は「被係止板」に、及び「一対の光源支持部２０ａ」は「複数の光源支持手段」に、それぞれ相当する。
　そして、引用発明における「係止部２０ｂが挿入係止される孔」は、係止部が挿入される孔であり、かつ係止部が係止される孔であって、一方、本願発明の「係止部が挿抜される挿入孔」と「係止部が係止される保持孔」とは、孔と孔とが結ばれて結合していることが明らかである。よって、引用発明における「前記係止部２０ｂが挿入係止される孔」と、本願発明における「前記係止部が挿抜される挿入孔と、前記係止部が係止される保持孔」とは、「前記係止部が挿入され係止される孔」である限りにおいて一致する。
　そうすると、本願発明と引用発明の一致点、相違点は以下のとおりであると認められる。
　
＜一致点＞
「並行配列された複数本の線状光源と、
　該複数本の線状光源を保持するためのランプクリップと、
　該ランプクリップの基体に設けられた係止部を係止する被係止板とを備えた液晶表示装置用バックライト装置において、
　該ランプクリップは該複数本の線状光源のそれぞれを保持する為の複数の光源支持手段が設けられ、
　前記被係止板は、前記係止部が挿入され係止される孔を有する、
　液晶表示装置用バックライト装置。」
　
＜相違点１＞
　本願発明では、ランプクリップに「前記基体の上面の中央部分において該線状光源と液晶パネルとの間に位置する光学部材を支持する支持手段」が設けられるのに対し、引用発明では上記「支持手段」が設けられていない点。
　
＜相違点２＞
　本願発明では、被係止板が「前記係止部が挿抜される挿入孔と、前記係止部が係止される保持孔」とを有し、「前記挿入孔と前記保持孔とを結ぶ方向が前記線状光源の長手方向に対して水平方向に設けられ」るものであるが、引用発明では、被係止板が「前記係止部が挿入係止される孔」を有するものである点。
　
＜相違点３＞
　本願発明では、「ランプクリップ」は、「前記係止部を前記保持孔に係止した状態で、前記挿入孔を覆い隠す形状を有した」ものであるが、引用発明では、ランプクリップの形状について上記言及がない点。
　
４．相違点の検討
　
　上記各相違点について検討する。
　
＜相違点１＞について
　本願の出願前に頒布された刊行物である特開２００４−３２７４４９号公報（特許請求の範囲、段落【００２９】〜【００３１】及び第４〜５図等参照）及び特開２００５−１９４２０号公報（段落【００４５】〜【００５１】及び第９〜１１図等参照）に記載のように、液晶表示装置用バックライト装置において、ランプクリップの基体の上面の中央部分に、線状光源と液晶パネルとの間に位置する光学部材を支持する支持手段を設けることは、周知であるから、上記周知例に記載の支持手段を、引用発明に記載されたランプクリップに適用し、本願発明に係る相違点１の構成とすることは、当業者が必要に応じて適宜なし得たことであり、該周知例に記載された支持手段を適用することに、格別の技術的困難性はない。
　
＜相違点２＞について
　引用例２には、蛍光灯を保持する取付具３と反射板２との取付構造として、前記取付具３の係合部１０に設けられたボス１２を、反射板２の穴２２に係止すること、該穴２２が、前記ボス１２が挿入される円形の挿入部分（挿入孔）と、前記ボス１２が係止される楕円形状の保持部分（保持孔）とを有すること（上記摘記事項Ｄ及びＥ等参照）が記載されており、さらに、穴２２による取付構造により、容易に反射板を取り付け、取り外すことができること（上記摘記事項Ｈ等参照）、穴２２における、前記円形の挿入部分（挿入孔）と前記楕円形状の保持部分（保持孔）とを結ぶ方向を、前記蛍光灯の長手方向に対して水平方向に設けること（上記摘記事項Ｆ及び第４図等参照）も、記載されている。
　そして、引用例２における蛍光灯が線状光源であることは明らかであるから、引用例２に記載の、線状光源の取付具を反射板に取り付ける為の穴の構造を、引用発明における線状光源の取付具であるランプクリップを被係止板に取り付ける為の孔に採用し、本願発明に係る相違点２の構成とすることは、線状光源の本数や用途に関わらず、当業者であれば容易に想到し得たことである。
　
＜相違点３＞について
　大径の挿入孔と小径の保持孔とからなる取付穴に、係止部材の係止部を係止させる構造において、係止部材が、前記係止部を前記小径の保持孔に係止した状態で、前記大径の挿入孔を覆い隠す形状を有したものは、周知である（必要であれば本願の出願前に頒布された刊行物である実願昭６０−１０２５４７号（実開昭６２−１２００８号）のマイクロフィルム（明細書第４頁第１０行〜第５頁第７行、第６頁第７行〜第８頁第１３行及び第１〜２図等参照）等参照）から、上記引用発明に引用例２の穴２２の構造を採用した際に、引用発明におけるランプクリップの形状を上記周知の形状として、本願発明に係る相違点３の構成とすることは、当業者が容易に想到し得たことである。
　
　そして、上記相違点１〜３を併せ備える本願発明の作用・効果について検討しても、引用発明、引用例２及び上記各周知例に記載の事項から当業者が予測し得る範囲を超えるものではない。
　
　したがって、本願発明は引用発明、引用例２及び上記各周知例に基づいて、当業者が容易に発明をすることができたものである。
　
５．むすび
　
　以上のとおりであるから、本願発明（請求項３に係る発明）は、当業者が容易に発明をすることができたものであるから、特許法第２９条第２項の規定により特許を受けることができない。
　そうすると、このような特許を受けることができない発明を包含する本願は、本願の他の請求項に係る発明について検討するまでもなく、拒絶されるべきものである。
　よって、結論のとおり審決する。